(57)【要約】【課題】    本発明は、玩具的機能を付加した扇風機カバーを提供する。【解決手段】    扇風機カバーＣは、扇風機１の羽根２をカバーする羽根カバー３の上から被せる扇風機カバー本体Ｃ１と、この扇風機カバー本体Ｃ１の前面に取り付けられたベースＣ２と、このベースＣ２に取り付けられた軸Ｃ３と、この軸Ｃ３に回転自在に支持され、扇風機１の羽根２からの気流を受けて回転する回転体Ｃ４とを具備しているものである。【選択図】図４
2010163953.tif 000002
【特許請求の範囲】
【請求項１】
扇風機の羽根をカバーする羽根カバーの上から被せると共に、通気性を有する扇風機カバー本体と、
この扇風機カバー本体の前面に取り付けられたベースと、  
このベースに取り付けられた軸と、
この軸に回転自在に支持され、前記扇風機の羽根からの気流を受けて回転する回転体と、
を具備していることを特徴とする扇風機カバー。
【請求項２】
扇風機の羽根をカバーする羽根カバーの上から被せると共に、通気性を有する扇風機カバー本体と、
この扇風機カバー本体の前面に取り付けられたベースと、
このベースに取り付けられた回転軸と、
この回転軸に取り付けられ、前記扇風機の羽根からの気流を受けて回転する回転体と、
を具備していることを特徴とする扇風機カバー。
【請求項３】
回転体は、文字、図柄等を表示する表示部と、扇風機の羽根からの気流を受けて回転するファン部とを具備している
ことを特徴とする請求項１又は請求項２記載の扇風機カバー。
【請求項４】
表示部は、渦巻き形状の図柄である
ことを特徴とする請求項３記載の扇風機カバー。
【請求項５】
軸のベースより遠い側の端部に取り付けられ、文字、図柄等を表示する表示体を具備している
ことを特徴とする請求項１乃至４のいずれかに記載の扇風機カバー。
【請求項６】
表示体は、透明体で形成され、該透明体に文字、図柄等が描かれているか、又は、該透明体に、文字、図柄等が描かれている表示物を付着させているかである
ことを特徴とする請求項５記載の扇風機カバー。
【請求項７】
扇風機の羽根をカバーする羽根カバーの前面の略中心に取り付けられたベースと、
このベースに取り付けられた軸と、
この軸に回転自在に支持され、前記扇風機の羽根からの気流を受けて回転する回転体と、
を具備していることを特徴とする扇風機。
【請求項８】
扇風機の羽根をカバーする羽根カバーの前面の略中心に取り付けられたベースと、
このベースに取り付けられた回転軸と、
この回転軸に取り付けられ、前記扇風機の羽根からの気流を受けて回転する回転体と、
を具備していることを特徴とする扇風機。
【請求項９】
回転体は、文字、図柄等を表示する表示部と、扇風機の羽根からの気流を受けて回転するファン部とを具備している
ことを特徴とする請求項７又は請求項８記載の扇風機。
【請求項１０】
表示部は、渦巻き形状の図柄である
ことを特徴とする請求項９記載の扇風機。
【請求項１１】
軸のベースより遠い側の端部に取り付けられ、文字、図柄等を表示する表示体を具備している
ことを特徴とする請求項７乃至１０のいずれかに記載の扇風機。
【請求項１２】
表示体は、透明体で形成され、該透明体に文字、図柄等が描かれているか、又は、該透明体に、文字、図柄等が描かれている表示物を付着させている
ことを特徴とする請求項１１記載の扇風機。
【発明の詳細な説明】
【技術分野】
【０００１】
本発明は、扇風機カバー及び扇風機に係り、特に、玩具的機能を付加した扇風機カバー及び扇風機に関する。
【背景技術】
【０００２】
扇風機の羽根をカバーする羽根カバーの上から被せるネット状の扇風機カバーがある。
この扇風機カバーは、子供が扇風機に手がふれても、羽根に接触しないようにしたものである。
しかしながら、従来の扇風機カバーには、キャラクターが付されているだけで、単調で使用者、特に、子供の興味を惹くことが少ないという問題点があった。
【発明の開示】
【発明が解決しようとする課題】
【０００３】
本発明は、前記した問題点を除去するようにした扇風機カバー及び扇風機を提供することを目的としている。
【課題を解決するための手段】
【０００４】
前記した目的を達成するための請求項１記載の扇風機カバーは、扇風機の羽根をカバーする羽根カバーの上から被せると共に、通気性を有する扇風機カバー本体と、この扇風機カバー本体の前面に取り付けられたベースと、このベースに取り付けられた軸と、この軸に回転自在に支持され、前記扇風機の羽根からの気流を受けて回転する回転体とを具備しているものである。
【０００５】
また、請求項２記載の扇風機カバーは、扇風機の羽根をカバーする羽根カバーの上から被せると共に、通気性を有する扇風機カバー本体と、この扇風機カバー本体の前面に取り付けられたベースと、このベースに取り付けられた回転軸と、この回転軸に取り付けられ、前記扇風機の羽根からの気流を受けて回転する回転体とを具備しているものである。
【０００６】
また、請求項３記載の扇風機カバーは、請求項１又は請求項２記載の扇風機カバーにおいて、回転体は、文字、図柄等を表示する表示部と、扇風機の羽根からの気流を受けて回転するファン部とを具備しているものである。
【０００７】
また、請求項４記載の扇風機カバーは、請求項３記載の扇風機カバーにおいて、表示部は、渦巻き形状の図柄である。
【０００８】
また、請求項５記載の扇風機カバーは、請求項１乃至４のいずれかに記載の扇風機カバーにおいて、軸のベースより遠い側の端部に取り付けられ、文字、図柄等を表示する表示体を具備しているものである。
【０００９】
また、請求項６記載の扇風機カバーは、請求項５記載の扇風機カバーにおいて、表示体は、透明体で形成され、該透明体に文字、図柄等が描かれているか、又は、該透明体に、文字、図柄等が描かれている表示物を付着させているかである。
【００１０】
また、請求項７記載の扇風機は、扇風機の羽根をカバーする羽根カバーの前面の略中心に取り付けられたベースと、このベースに取り付けられた軸と、この軸に回転自在に支持され、前記扇風機の羽根からの気流を受けて回転する回転体とを具備しているものである。
【００１１】
また、請求項８記載の扇風機は、扇風機の羽根をカバーする羽根カバーの前面の略中心に取り付けられたベースと、このベースに取り付けられた回転軸と、この回転軸に取り付けられ、前記扇風機の羽根からの気流を受けて回転する回転体とを具備しているものである。
【００１２】
また、請求項９記載の扇風機は、請求項７又は請求項８記載の扇風機において、回転体は、文字、図柄等を表示する表示部と、扇風機の羽根からの気流を受けて回転するファン部とを具備しているものである。
【００１３】
また、請求項１０記載の扇風機は、請求項９記載の扇風機において、表示部は、渦巻き形状の図柄である。
【００１４】
また、請求項１１記載の扇風機は、請求項７乃至１０のいずれかに記載の扇風機において、軸のベースより遠い側の端部に取り付けられ、文字、図柄等を表示する表示体を具備しているものである。
【００１５】
また、請求項１２記載の扇風機は、請求項１１記載の扇風機において、表示体は、透明体で形成され、該透明体に文字、図柄等が描かれているか、又は、該透明体に、文字、図柄等が描かれている表示物を付着させているものである。
【発明の効果】
【００１６】
請求項１記載の扇風機カバーによれば、扇風機の羽根からの気流を受けて回転する回転体を具備しているため、回転体が回転し、扇風機に玩具的機能を付加することができ、しかも、予め、扇風機カバーに扇風機の羽根からの気流によって回転する回転体を取り付けているため、扇風機カバーを扇風機に装着するだけで、扇風機に玩具的機能を簡易且つ迅速に付加することができる。
【００１７】
また、請求項２記載の扇風機カバーによれば、扇風機の羽根からの気流を受けて回転する回転体を具備しているため、扇風機に玩具的機能を付加することができ、しかも、予め、扇風機カバーに扇風機の羽根からの気流によって回転する回転体を取り付けているため、扇風機カバーを扇風機に装着するだけで、扇風機に玩具的機能を簡易且つ迅速に付加することができる。
【００１８】
また、請求項３記載の扇風機カバーによれば、上述した請求項１又は請求項２記載の発明の効果に加え、回転体は、文字、図柄等を表示する表示部を備えているため、文字、図柄等を表示する表示部が回転するため、該表示部に静止的なものに動的機能をも付加することができ、玩具的機能を更に向上させることができる。
【００１９】
また、請求項４記載の扇風機カバーによれば、上述した請求項３記載の発明の効果に加え、特に、表示部に渦巻き形状の図柄の静止的なものに動的機能をも付加することができ、玩具的機能を更に向上させることができる。
【００２０】
また、請求項５記載の扇風機カバーによれば、上述した請求項１乃至４記載のいずれかの発明の効果に加え、文字、図柄等を表示する表示体をも付加しているため、付加している分、玩具的機能を更に向上させることができ、しかも、表示体は、回転体のストッパー的機能をも有する。
【００２１】
また、請求項６記載の扇風機カバーによれば、上述した請求項５記載の発明の効果に加え、表示体は、透明体で形成されているため、透明体と扇風機との間に位置する回転体の文字、図柄等を表示する表示部の視覚をある程度阻害しないため、回転体の文字、図柄等を表示する表示部の機能をも維持することができる。
【００２２】
また、請求項７記載の扇風機によれば、扇風機の羽根からの気流を受けて回転する回転体を具備しているため、扇風機に玩具的機能を付加することができる。
【００２３】
また、請求項８記載の扇風機によれば、扇風機の羽根からの気流を受けて回転する回転体を具備しているため、扇風機に玩具的機能を付加することができる。
【００２４】
また、請求項９記載の扇風機によれば、上述した請求項７又は請求項８記載の発明の効果に加え、回転体は、文字、図柄等を表示する表示部を備えているため、文字、図柄等を表示する表示部が回転するため、該表示部に静止的なものに動的機能をも付加し玩具的機能を更に向上させることができる。
【００２５】
また、請求項１０記載の扇風機によれば、上述した請求項９記載の発明の効果に加え、特に、表示部に渦巻き形状の図柄の静止的なものに動的機能をも付加し玩具的機能を更に向上させることができる。
【００２６】
また、請求項１１記載の扇風機によれば、上述した請求項７乃至１０記載のいずれかの発明の効果に加え、文字、図柄等を表示する表示体をも付加しているため、付加している分、玩具的機能を更に向上させることができ、しかも、表示体は、回転体のストッパー的機能をも有する。
【００２７】
また、請求項１２記載の扇風機によれば、上述した請求項１１記載の発明の効果に加え、表示体は、透明体で形成されているため、透明体と扇風機との間に位置する回転体の文字、図柄等を表示する表示部の視覚をある程度阻害しないため、回転体の文字、図柄等を表示する表示部の機能をも維持することができる。
【発明を実施するための最良の形態】
【００２８】
本発明の一実施例の扇風機カバー及び扇風機を図面を参照して説明する。
図１乃至図４において、Ｃは扇風機１の羽根２をカバーする羽根カバー３の上から被せる扇風機カバーで、この扇風機カバーＣは、子供が扇風機１に手がふれても、羽根２に接触しないようにしたもので、扇風機カバーＣは、通気性を有する扇風機カバー本体Ｃ１を有する。
【００２９】
Ｃ２は、扇風機カバー本体Ｃ１の前面に、例えば、粘着剤を介して取り付けられたベースで、このベースＣ２の取り付け位置は、風の抵抗の少ない扇風機１の羽根２の略中心部に位置する扇風機カバー本体Ｃ１の部位が望ましい（図１参照）。
ベースＣ２には、図４に示すように、風の抵抗を軽減するように、一部を風の通る部位Ｃ２１を形成し、例えば、十文字形状に形成されている。
また、Ｃ３は、ベースＣ２に取り付けられた軸で、Ｃ４は、軸Ｃ３に回転自在に支持され、扇風機１の羽根２からの気流を受けて回転する回転体で、回転体Ｃ４は、手を触れてもけがしない程度の柔らかな素材で形成されている。また、Ｃ５は、軸Ｃ３のベースＣ２より遠い側の端部に取り付けられ、文字、図柄等を表示する表示体である。
【００３０】
上述した扇風機カバーＣによれば、扇風機１の羽根２からの気流を受けて回転する回転体Ｃ４を具備しているため、回転体Ｃ４が回転し、扇風機１に玩具的機能を付加することができ、しかも、予め、扇風機カバーＣに扇風機１の羽根２からの気流によって回転する回転体Ｃ４を取り付けているため、扇風機カバーＣを扇風機１に装着するだけで、扇風機１に玩具的機能を簡易且つ迅速に付加することができる。
【００３１】
なお、回転体Ｃ４は、図４に示すように、主に、扇風機１の羽根２からの気流を受けて回転するファン部で構成しても良いが、回転体Ｃ４は、図６に示すように、文字、図柄等を表示する表示部Ｃ４１と、扇風機１の羽根２からの気流を受けて回転するファン部Ｃ４２とを具備するようにしても良い。
表示部Ｃ４１の表示は、例えば、渦巻き形状の図柄である（図６参照）。該回転体Ｃ４は、文字、図柄等を表示する表示部Ｃ４１を備えているため、文字、図柄等を表示する表示部Ｃ４１が回転するため、該表示部Ｃ４１に静止的なものに動的機能をも付加することができ、玩具的機能を更に向上させることができる。
また、ベースＣ２は、図４に示すように、十文字形状でも良いが、図６に示すように、円盤形状でも良く、風の抵抗が大きくならないように、正面視、表示部Ｃ４１よりはみ出さない、つまり、円盤形状のベースＣ２は、正面視、表示部Ｃ４１と同じか、又は、表示部Ｃ４１より小さい大きさが良い（図５及び図６参照）。
【００３２】
また、図５に示す表示体Ｃ５は、図示しない文字、図柄等を表示するもので、文字、図柄等を付加している分、玩具的機能を更に向上させることができ、しかも、表示体Ｃ５は、回転体Ｃ４のストッパー的機能をも有する。
また、表示体Ｃ５は、図１乃至図４記載のように平らに形成しても良いが、図５及び図６に示すように湾曲状に形成しても良く、また、表示体Ｃ５は、透明体で形成しても良い。
かかる場合、該透明体に文字、図柄等が描かれているか、又は、該透明体に、文字、図柄等が描かれている表示物を付着させるようにしても良い。
表示体Ｃ５は、透明体で形成されていると、透明体（表示体Ｃ５）と扇風機１との間に位置する回転体Ｃ４の文字、図柄等を表示する表示部Ｃ４１の視覚をある程度阻害しないため、回転体Ｃ４の文字、図柄等を表示する表示部Ｃ４１の機能をも維持することができる。
【００３３】
また、上述した図１乃至図６記載の実施例においては、表示体Ｃ５を設けたが、本願発明はこれに限らず、図７に示すように、表示体Ｃ５を設けず、回転体Ｃ４が軸Ｃ３より離脱しないように、ストッパーＣ５’を設ける様にしても良い。
【００３４】
また、上述した図１乃至図７記載の実施例においては、回転体Ｃ４を扇風機カバーＣに装着したが、本願発明にあっては、これに限らず、図８に記載するように、扇風機カバーＣを介せず、扇風機１（例えば、羽根カバー３）に装着しても良い。
回転体Ｃ４を扇風機１に装着した場合、扇風機カバーＣを介さない点を除けば、上述した図１乃至図７記載の実施例と同様であるので、図８に図１乃至図７記載の実施例と同一部分に同一符号を付してその説明を省略する。
【００３５】
また、上述した図１乃至図８記載の実施例においては、回転体Ｃ４は、軸Ｃ３に回転自在に支持されるようにしたが、本願発明にあっては、これに限らず、軸Ｃ３自身を回転軸とし、該回転軸Ｃ３を図示しないが、ベースＣ２に回転自在に取り付けられるようにし、該回転軸Ｃ３に上述の回転体Ｃ４に一体的に取り付け、扇風機１の羽根２からの気流を受けて回転するようにしても、上述した図１乃至図８記載の実施例と同様な効果を有する。
【図面の簡単な説明】
【００３６】
【図１】図１は、本発明の一実施例の羽根カバーを装着した扇風機の概略的正面図である。
【図２】図２は、図１の概略的断面図である。
【図３】図３は、図１の３−３線による概略的断面図である。
【図４】図４は、図１の羽根カバーを分解して示す概略的分解斜視図である。
【図５】図５は、図１記載の羽根カバーと異なる他の実施例の概略的断面図である。
【図６】図６は、図５を分解して示す概略的分解斜視図である。
【図７】図７は、図５と異なる他の実施例の概略的断面図である。
【図８】図８は、図７と異なる他の実施例の概略的断面図である。
【符号の説明】
【００３７】
Ｃ    …………扇風機カバー
Ｃ１  …………扇風機カバー本体
Ｃ２  …………ベース
Ｃ３  …………軸
１    …………扇風機
２    …………羽根
３    …………羽根カバー
【図１】
2010163953.tif 000003
【図２】
2010163953.tif 000004
【図３】
2010163953.tif 000005
【図４】
2010163953.tif 000006
【図５】
2010163953.tif 000007
【図６】
2010163953.tif 000008
【図７】
2010163953.tif 000009
【図８】
2010163953.tif 000010